(57)【特許請求の範囲】
【請求項１】
便器本体と、
第１および第２の吐水口と、を備え、
前記第１および第２の吐水口を連通する導水路は、前記第１の吐水口と前記第２の吐水口の間にピーク点を有する２方向の傾斜路を含み、
前記第２の吐水口に向かって洗浄水が流れる際に、上り勾配があることを特徴とする水洗式便器。
【請求項２】
前記便器本体に搭載され、前記第１および第２の吐水口にそれぞれ洗浄水を供給する共通給水管、を更に備えることを特徴とする請求項１に記載の水洗式便器。
【請求項３】
前記便器本体の後方側に前記第１の吐水口が形成され、前方側に前記第２の吐水口が形成されることを特徴とする請求項１または２に記載の水洗式便器。
【請求項４】
前記ピーク点は、前記導水路の中間地点よりも前記第２の吐水口側に形成されることを特徴とする請求項１から３のいずれかに記載の水洗式便器。
【請求項５】
前記ピーク点から前記第１の吐水口へ向かう傾斜路の斜角よりも、前記ピーク点から前記第２の吐水口へ向かう傾斜路の斜角が大きくなるように前記導水路が形成されることを特徴とする請求項１から４のいずれかに記載の水洗式便器。
【請求項６】
前記ピーク点から前記第１の吐水口へ向かう傾斜路の斜角は、１度以上であることを特徴とする請求項１から５のいずれかに記載の水洗式便器。
【請求項７】
前記第１および第２の吐水口に洗浄水を供給する第１の導水路とは別に、更に、第３の吐水口に洗浄水を供給する第２の導水路が形成されることを特徴とする請求項１から６のいずれかに記載の水洗式便器。
【請求項８】
前記第１の吐水口よりも前記第２の吐水口は高い位置に形成されることを特徴とする請求項１から７のいずれかに記載の水洗式便器。
【発明の詳細な説明】
【技術分野】
【０００１】
本発明は、水洗式便器に形成される導水路の構造、に関する。
【背景技術】
【０００２】
水洗式便器においては、複数の吐水口から便鉢部に洗浄水を吐出し、その洗浄水の勢いによって汚物を排水管に押し出す洗浄方式が知られている。たとえば、便器本体において便鉢周方向に延伸する導水路が形成され、その導水路の先端または途中に吐水口が形成される。給水管から導水路に洗浄水が送られると、複数の吐水口から洗浄水が吐出される。洗浄後も導水路に洗浄水の一部が残ることがある（以下、「残水」とよぶ）。残水は、雑菌繁殖の温床になりかねないため、できる限り排除することが望ましい。
【０００３】
特許文献１では、共通導水路５が第１リム導水路１４を介して第１リム吐水口１７とつながるとともに、第２リム導水路１５を介して第２リム吐水口１９ともつながっている（特許文献１の図５参照）。共通導水路５から第１リム吐水口１７と第２リム吐水口１９それぞれに洗浄水が供給される。特許文献１では、第１リム吐水口１７から残水が漏れるのを防ぐため、第１リム導水路１４を第１リム吐水口１７から共通導水路５の方向に緩やかに下降傾斜させている。
【先行技術文献】
【特許文献】
【０００４】
【特許文献１】特開２０１５−１３４９９３号公報
【発明の概要】
【発明が解決しようとする課題】
【０００５】
本発明者らは導水路に傾斜をつけるアイディアは残水排除にも有効であると考える。しかし、構造上、導水路に大きな傾斜をつけにくい場合が多い。特に、２つの吐水口がほとんど同じ高さにあるときには一方の吐水口から他方の吐水口に向けて下降する傾斜路を形成できない。
【０００６】
本発明は、上記課題認識に基づいてなされたものであり、その主たる目的は、複数の吐水口をつなぐ導水路から残水を効果的に排除するための技術、を提供することにある。
【課題を解決するための手段】
【０００７】
本発明のある態様における水洗式便器は、便器本体と、第１および第２の吐水口と、を備える。
第１および第２の吐水口を連通する導水路は、第１の吐水口と第２の吐水口の間にピーク点を有する２方向の傾斜路を含む。
【発明の効果】
【０００８】
本発明によれば、複数の吐水口につながる導水路から残水を排除しやすくなる。
【図面の簡単な説明】
【０００９】
【図１】第１実施形態における水洗式便器の前方斜視図である。
【図２】第１実施形態における水洗式便器の後端内部の拡大斜視図である。
【図３】第１実施形態において、図１のＡ−Ａ線に沿って水洗式便器を切断したときの上断面図である。
【図４】第１実施形態における右導水経路の形状を示す模式図である。
【図５】第１実施形態における貯留部の拡大斜視図である。
【図６】第１実施形態において、図５に示すＶ方向から見た右吐水管の模式図である。
【図７】第１の変形例として、左吐水口と後吐水口をつなぐ導水路に傾斜を設ける場合の模式図である。
【図８】第２の変形例における右導水経路の形状を示す模式図である。
【図９】第２実施形態において、図１のＡ−Ａ線に沿って水洗式便器を切断したときの上断面図である。
【図１０】第２実施形態における右導水経路の形状を示す模式図である。
【発明を実施するための形態】
【００１０】
［第１実施形態］
第１実施形態においては、右吐水管１２２の出口付近に貯留部１２８を設ける構成を有する水洗式便器１００について説明する。
【００１１】
図１は、第１実施形態における水洗式便器１００の前方斜視図である。
便器本体１０１には便鉢部１０６が形成される。便器本体１０１は、タンク（図２参照）とポンプ（不図示）を内蔵する。ポンプは、タンク内の洗浄水を左吐水口１０２（第３の吐水口）、後吐水口１０４（第１の吐水口）および前吐水口１１０（第２の吐水口、前吐水口１１０については後述）から便鉢部１０６に吐出する。後吐水口１０４から吐出された洗浄水は、便鉢部１０６の内壁面に形成される導水棚１０８（レール）の上を流れ、便鉢部１０６の内部を旋回し、落水する。詳細は後述するが、後吐水口１０４からは洗剤、洗浄水および空気の混合体を吐出することもできる。以下、洗剤、洗浄水、空気の混合体のことを単に「泡」とよぶ。
水洗式便器１００の後端部には、局部洗浄機能や温風機能等を提供する機能部（不図示）が搭載されてもよい。
【００１２】
図２は、第１実施形態における水洗式便器１００の後端内部の拡大斜視図である。
洗浄水は上水道から取水され、洗浄バルブ１２１と補給管１１２を経由して第１タンク１１６に入る（経路Ｃ１）。より具体的には、洗浄水は、第１タンク１１６の上部部材である受水部１１４に入り、受水部１１４の洗浄水が第１タンク１１６の下部部材である主タンク１１５に流れ込む（経路Ｃ２）。
【００１３】
ユーザが、洗浄スイッチ（不図示）を操作すると、水洗式便器１００の下部にあるポンプ（不図示）が稼働し、主タンク１１５の洗浄水は主給水管１１８（共通給水管）に送られる（経路Ｃ３）。主給水管１１８は、左吐水管１２０と右吐水管１２２の２つの管につながる（図３も参照）。左吐水管１２０に流れ込んだ洗浄水は左吐水口１０２（第３の吐水口）から吐出される（Ｃ３−１）。右吐水管１２２（共通吐水管）に流れ込んだ洗浄水は、後吐水口１０４（第１の吐水口）および前吐水口１１０（第２の吐水口，後述）から吐出される（経路Ｃ３−２）。
【００１４】
第２タンク１２６は洗剤を貯留する。第２タンク１２６の洗剤はエゼクタ１２７で空気と水に混合されて泡となり、泡管５７（泡剤供給部）、泡吐出口１３０を介して右吐水管１２２（共通吐水管）に入る（経路Ｃ４）。ポンプ５４は、第２タンク１２６の洗剤をエゼクタ１２７に送る。エゼクタ１２７には、水道水が泡バルブ１１７を介して直接供給される。泡は、後吐水口１０４（第１の吐水口）から吐出される（経路Ｃ３−２）。泡は、前吐水口１１０（第２の吐水口）からは吐出されず（詳細は後述）、後吐水口１０４のみが泡を吐出可能である。
エゼクタ１２７は既存技術の応用である。右吐水管１２２からは、洗浄水または泡のいずれかが吐出される。
【００１５】
図３は、第１実施形態において、図１のＡ−Ａ線に沿って水洗式便器１００を切断したときの上断面図である。
水洗式便器１００は、左吐水口１０２（第３の吐水口）、後吐水口１０４（第１の吐水口）のほかに、便鉢部１０６の前端側（ｘ軸正方向側）に前吐水口１１０（第２の吐水口）を有する。主給水管１１８（共通給水管）から見ると、後吐水口１０４（第１の吐水口）は上流側にあり、前吐水口１１０（第２の吐水口）は下流側にある。便鉢部１０６の中心点をＣとし、中心点Ｃを通りｘ軸方向およびｙ軸方向にそれぞれ延伸する仮想中心線をＭ１，Ｍ２とする。左吐水口１０２（第３の吐水口）は、中心線Ｍ１より左側の半部内、より具体的には中心線Ｍ２よりも前端側に形成される。後吐水口１０４（第１の吐水口）は、中心線Ｍ１よりも右側の半部内、より具体的には中心線Ｍ２よりも後端側の四半部内に形成され、前吐水口１１０は中心線Ｍ１よりも右側の半部内、より具体的には中心線Ｍ２よりも前端側の四半部内に形成される。
【００１６】
主給水管１１８の洗浄水のうち、左吐水管１２０に流入した洗浄水は、左導水経路１１９（第２の導水路）を通って左吐水口１０２から吐出される。この洗浄水は、便鉢部１０６を大きく旋回する（水流Ｓ３）。水流Ｓ３は、その一部が便鉢部１０６の前端から貯留領域１２４に落水し、一部は便鉢部１０６の内壁面を広域洗浄したあと、右側面側において貯留領域１２４に落水し、残りは後吐水口１０４から吐出される洗浄水に合流する。
【００１７】
主給水管１１８から右吐水管１２２（共通吐水管）に流入した洗浄水の多くは後吐水口１０４から吐出される。この洗浄水は、一部は便鉢部１０６の後端部を局所洗浄したあと、貯留領域１２４に落水するが、大部分は便鉢部１０６の左後方の屈曲部１５０において方向転換され、貯留領域１２４に落水する（水流Ｓ１）。また、右吐水管１２２に流入した洗浄水の一部は、右導水経路１２３にも流入し、前吐水口１１０（第３の吐水口）からも吐出される。この洗浄水は、便鉢部１０６の前端部右側を局所洗浄し、そのまま貯留領域１２４に落水する（水流Ｓ２）。
左吐水口１０２からの水流Ｓ３は、便鉢部１０６の右側に至るときに洗浄力が落ちるため、水流Ｓ２により手薄な右側部分の洗浄力を補強している。水流Ｓ１，Ｓ３は主たる洗浄力を提供し、水流Ｓ２は付加的な、あるいは、オプショナルな洗浄力を提供する。
以下、水流Ｓ１，Ｓ２を中心として説明する。
【００１８】
後吐水口１０４および前吐水口１１０に洗浄水を供給する右吐水管１２２の出口付近には、洗浄水を一時的に貯水するための貯留部１２８が形成される。いいかえれば、右吐水管１２２（共通吐水管）から後吐水口１０４（第１の吐水口）に向かう方向と前吐水口１１０（第２の吐水口）に向かう方向に分岐する地点に貯留部１２８が形成される。右吐水管１２２の洗浄水は後吐水口１０４から優先的に吐出される。右吐水管１２２の単位時間あたりの給水量（以下、単に、「給水速度」とよぶ）が充分に大きいときには、貯留部１２８に洗浄水が徐々に滞留し、やがて貯留部１２８からオーバーフローする。このオーバーフローした洗浄水は右導水経路１２３に流れ込み、前吐水口１１０から吐出される。貯留部１２８のより詳細な構造については、図５，６に関連して後に詳述する。
【００１９】
水洗式便器１００の洗浄プロセスは２段階である。第１段階（以下、「洗浄プロセス」とよぶ）では、高い給水速度にて大量の洗浄水が主給水管１１８に送られ、左吐水口１０２および後吐水口１０４から洗浄水が吐出される。しばらくすると、貯留部１２８から洗浄水があふれて、オーバーフローした洗浄水は右導水経路１２３にも流入し、前吐水口１１０からも洗浄水が吐出される。洗浄プロセスにおいては、貯留領域１２４にあった滞留水も含めて、すべての洗浄水がいったん下水道に排出される。
【００２０】
第２段階（以下、「覆水プロセス」とよぶ）は、貯留領域１２４に滞留水を補給するプロセスである。洗浄プロセスよりも低い給水速度にて洗浄水が主給水管１１８に供給され、左吐水口１０２および後吐水口１０４から洗浄水が吐出される。給水速度が低いため、貯留部１２８においてはオーバーフローは発生しない。このため、覆水プロセスにおいては、前吐水口１１０に洗浄水は供給されない。
【００２１】
ユーザがリモートコントローラ等で操作指示したとき、右吐水管１２２は泡を放出することもできる。ポンプ５４は泡管５７から泡をゆっくりと送り出すため、貯留部１２８から泡がオーバーフローすることはない。このため、前吐水口１１０には泡が供給されることはない。便器本体１０１に内蔵されるセンサ（不図示）が便座（不図示）の開放を検出したとき、泡バルブ１１７が開放され、泡が吐出されるとしてもよい。泡は、便鉢部１０６や貯留領域１２４を洗浄するだけでなく、貯留領域１２４の滞留水表面を覆うことで小便時の飛散を抑制する。右吐水管１２２において泡と洗浄水は同一の開口から吐出されるてもよいが、別々の開口から吐出されてもよい（図６に関連して後述）。
【００２２】
洗浄プロセス完了後、右導水経路１２３の残水を速やかに排除するため、右導水経路１２３は２方向の傾斜路、いいかえれば、山型の傾斜路として形成される。より具体的には、右導水経路１２３には、前吐水口１１０に比較的近い地点にピーク点Ｐが設定され、ピーク点Ｐから貯留部１２８に下降する傾斜路とピーク点Ｐから前吐水口１１０に下降する傾斜路が形成される。
【００２３】
洗浄プロセスが完了して覆水プロセスに移行すると、右導水経路１２３の残水の一部は傾斜路をたどって前吐水口１１０から排出され、残りは貯留部１２８に戻る。貯留部１２８に流れ込んだ残水は後吐水口１０４の洗浄水に合流する。
【００２４】
覆水プロセスの完了後も前吐水口１１０から残水が流れ続けると、水漏れを生じているのではないかとユーザに誤解されてしまう懸念がある。また、覆水プロセスの完了後も前吐水口１１０から残水が流れ続けると、前吐水口１１０の付近という目立つ場所に筋状の水垢が形成される可能性もある。したがって、前吐水口１１０からの残水排除は、覆水プロセス中に速やかに完了することが望ましい。
【００２５】
図４は、第１実施形態における右導水経路１２３の形状を示す模式図である。
右導水経路１２３（後吐水口１０４と前吐水口１１０を結ぶ経路）においては、ピーク点Ｐから前吐水口１１０に向かう前傾斜路１３２と、ピーク点Ｐから後吐水口１０４に向かう後傾斜路１３４の２つの傾斜路が形成される。いいかえれば、ピーク点Ｐは、後吐水口１０４と前吐水口１１０の間に形成される。２つの前傾斜路１３２、後傾斜路１３４を形成できるため、単一の傾斜路に比べて各傾斜路の斜角を大きく確保できる。後吐水口１０４と前吐水口１１０の高さがほとんど変わらないときでも、ピーク点Ｐを高くすれば、２つの傾斜路それぞれの斜角を大きくできる。前傾斜路１３２および後傾斜路１３４の斜角を大きくできれば、右導水経路１２３から残水を速やかに排除しやすくなる。
【００２６】
上述した理由により、前吐水口１１０からの残水排除は後吐水口１０４からの残水排除に優先する。ピーク点Ｐは、右導水経路１２３の中間点Ｑよりも前吐水口１１０に近い側に設定される。後傾斜路１３４の斜角ａ１よりも前傾斜路１３２の斜角ａ２が大きくなるため、前傾斜路１３２の方がより速やかに残水排除される。また、前傾斜路１３２の方が後傾斜路１３４よりも短くなるため、前傾斜路１３２の残水を比較的少なくできる。
【００２７】
下水管などの配管設備においては、管径１５０ミリメートル以上の排水横管の場合、１／２００（約０．５７度）以上の勾配が求められる（空気調和・衛生工学会の規格ＳＨＡＳE−Ｓ２０６−２０００）。同規格は、管径６５ミリメートル以下の排水横管の場合、１／５０（１．１４度）の勾配を求めている。この規格を参考にすると、後傾斜路１３４の斜角ａ１は、少なくとも０．５７度以上は必要であり、１．００度以上であることが望ましい。また、後傾斜路１３４の斜角ａ２は、少なくとも１．００度以上は必要であり、１．１４度以上であることが望ましい。
【００２８】
右吐水管１２２の出口付近には貯留部１２８が形成され、貯留部１２８の貯水壁１３６の上に前導水口１３８（第２の導水口）が形成される。前導水口１３８は貯留部１２８の出口であり、右導水経路１２３の入口でもある。右吐水管１２２（共通吐水管）から貯留部１２８に流入した洗浄水は最初は後吐水口１０４のみから吐出されるが、やがて洗浄水が貯水壁１３６を超えると、前導水口１３８から右導水経路１２３にも洗浄水が流れ込む。
【００２９】
まとめると、洗浄プロセスにおいては、右吐水管１２２の洗浄水が後吐水口１０４から強い勢いで吐出される。まずは、主給水管１１８からみて上流側に位置する後吐水口１０４において、流速および水量のいずれの点においても充分な吐水が確保される。右吐水管１２２の給水速度が大きいため、後吐水口１０４から洗浄水を吐出しつつも貯留部１２８に洗浄水が貯まっていく。やがて、貯留部１２８から洗浄水がオーバーフローし、オーバーフローした洗浄水は前導水口１３８、右導水経路１２３を経由して、下流側の前吐水口１１０からも吐出される。必然的に、後吐水口１０４の方が、前吐水口１１０よりも洗浄水の水勢が強くなる。前吐水口１１０は、あくまでもオプショナルな洗浄力を提供するためのものである。
【００３０】
覆水プロセスにおいては、オーバーフローが発生しないため、右吐水管１２２の洗浄水はすべて後吐水口１０４から吐出される。このとき、前傾斜路１３２の残水が前吐水口１１０から自然排出される。覆水プロセス中には、後吐水口１０４と左吐水口１０２のいずれからも洗浄水が吐出されるため、前吐水口１１０からの残水排出は目立ちにくい。覆水プロセス中、後傾斜路１３４の残水は比較的ゆっくりと貯留部１２８に戻り、後吐水口１０４から排出される。
【００３１】
このような吐水制御を実現するためには、洗浄プロセスおよび覆水プロセスそれぞれの給水速度や給水量、給水時間、貯水壁１３６の高さ等をバランスよく設計する必要がある。理想的には、覆水プロセスが完了するまでに前傾斜路１３２だけでなく後傾斜路１３４からの残水排除も完了することが望ましい。
なお、右導水経路１２３の後傾斜路１３４は、常時、傾斜する流路である必要はない。たとえば、後傾斜路１３４の端部や途中に水平路が部分的に形成されることまで妨げるものではない。前傾斜路１３２についても同様である。
また、後吐水口１０４よりも前吐水口１１０は高位置に形成される。具体的には、後吐水口１０４の最低地点（底部）よりも前吐水口１１０の最低地点（底部）が高位置に形成される。これにより、前吐水口１１０の下部において便鉢部１０６の領域を広く確保しやすくなる。
【００３２】
図５は、第１実施形態における貯留部１２８の拡大斜視図である。
右吐水管１２２の出口を取り囲むように貯留部１２８が形成される。貯留部１２８の貯水壁１３６は、右吐水管１２２（共通吐水管）の洗浄水を後吐水口１０４にスムーズに導くためになめらかにカーブしている。右導水経路１２３を形成する導水壁１４２は、後導水口１４０を狭めるようにせり出している。
【００３３】
後導水口１４０（第１の導水口）とは、貯留部１２８の出口のうち、後吐水口１０４（第１の吐水口）に向かう出口をいう。本実施形態においては、貯留部１２８の後導水口１４０から吐出された洗浄水はそのまま後吐水口１０４を通過するため、貯留部１２８の出口としての後導水口１４０と便鉢部１０６への吐水口としての後吐水口１０４はほとんど一致している。
【００３４】
前導水口１３８（第２の導水口）とは、貯留部１２８の出口のうち、前吐水口１１０（第２の吐水口）に向かう出口をいう。前導水口１３８は貯水壁１３６の上部に形成される。貯留部１２８からオーバーフローした洗浄水は前導水口１３８に流入し、長い右導水経路１２３を経て前吐水口１１０に到達する。貯留部１２８の出口としての前導水口１３８と吐水口としての前吐水口１１０は大きく離れている。
【００３５】
後導水口１４０（第１の導水口）と前導水口１３８（第２の導水口）に高低差を設けることにより、いいかえれば、貯水壁１３６の上に前導水口１３８を形成することにより、主給水管１１８から見て上流側の後吐水口１０４に優先的に洗浄水が供給される構造となっている。貯留部１２８の底部は後吐水口１０４よりも若干くぼんでいる。
【００３６】
図６は、第１実施形態において、図５に示すＶ方向から見た右吐水管１２２の模式図である。
右吐水管１２２（共通吐水管）は、内管１６２および外管１６４の二重構造となっている。内管１６２の側面に洗浄水を吐出するための出口として排水口１４４が形成される（図５も参照）。また、外管１６４の先端に泡を吐出するための出口として泡出口１６０が形成される。排水口１４４および泡出口１６０はどちらか一方に共通化されてもよい。排水口１４４は、後吐水口１０４に向かう水平方向ｙ１（ｙ軸負方向）と、下方向ｚ１（ｚ軸負方向）の間に向けられる。より具体的には、右吐水管１２２の中心Ｕから排水口１４４の中心Ｗを結ぶベクトル（以下、「排水ベクトルｆ１」とよぶ）は、ｙ１とｚ１の間、好ましくは、ｚ１となす角度ａ３が４０〜５０度の範囲内に設定される。
【００３７】
排水ベクトルｆ１はｙ１成分（水平成分）を有するため、右吐水管１２２から後吐水口１０４に向かう水流が形成される。また、排水ベクトルｆ１のｚ１成分（鉛直成分）により、貯水を促す水流も形成される。排水口１４４の角度調整により、吐水と貯水のバランスを微調整できる。
【００３８】
右吐水管１２２からは泡が吐出されるとき、貯留部１２８のくぼみ１５２に充分に泡を溜めてから後吐水口１０４に泡に送り出すことができる。泡洗浄を行った後、右吐水管１２２から洗浄水を吐出するときには、貯留部１２８に残存する泡を洗い流す必要がある。排水ベクトルｆ１がｚ１成分を有するため、下方向に流れる洗浄水によってくぼみ１５２に残る泡を巻き上げ、泡を洗い流しやすくしている。
【００３９】
図７は、第１の変形例として、左吐水口１０２と後吐水口１０４をつなぐ導水路に傾斜を設ける場合を示す模式図である。
図７に示す変形例においては、共通給水管１４６の出口から、２つの導水路が分岐している。右側の導水路（第１の導水路）には後吐水口１０４（第１の吐水口，上流側）と前吐水口１１０（第２の吐水口，下流側）が形成され、左側の導水路（第２の導水路）には左吐水口１０２（第３の吐水口）が形成される。
【００４０】
この場合にも、左吐水口１０２から後吐水口１０４までの範囲に該当する導水路１４８ａにおいて、左吐水口１０２と後吐水口１０４の間、好ましくは、左吐水口１０２に近い側にピーク点Ｐ１を設定してもよい。導水路１４８ａに２つの傾斜路をつくることで、導水路１４８ａの残水を左吐水口１０２、後吐水口１０４それぞれから排出しやすくなる。
【００４１】
同様に、後吐水口１０４から前吐水口１１０までの範囲に該当する導水路１４８ｂにおいて、後吐水口１０４と前吐水口１１０の間、好ましくは前吐水口１１０に近い側にピーク点Ｐ２を設定してもよい。導水路１４８ｂに２つの傾斜路をつくることで、導水路１４８ｂの残水を後吐水口１０４、前吐水口１１０それぞれから排出しやすくなる。
【００４２】
このように、２つの吐水口をつなぐいずれの導水路１４８ａ，１４８ｂにおいても、その中間点にピーク点を形成することにより、各導水路に大きな傾斜をつけることができる。
【００４３】
図８は、第２の変形例における右導水経路１２３の形状を示す模式図である。
ピーク点Ｐは不連続点である必要はなく、図８に示すように連続点であってもよい。この場合にも、ピーク点Ｐは、右導水経路１２３の中点Ｑよりも前吐水口１１０に近い側に形成される。また、前傾斜路１３２の曲率よりも後傾斜路１３４の曲率を大きくすることで、前吐水口１１０からの残水排除を優先してもよい。
【００４４】
［第２実施形態］
第２実施形態においては、右吐水管１２２の出口付近に隔壁１５４を設ける構成を有する水洗式便器１００について説明する。図９，１０に関連して説明する以外の構成は第１実施形態と同様である。
【００４５】
図９は、第２の実施形態において、図１のＡ−Ａ線に沿って水洗式便器を切断したときの上断面図である。図１０は、第２の実施形態における右導水経路１２３の形状を示す模式図である。
図３と異なり、右吐水管１２２と右導水経路１２３は、隔壁１５４によって隔てられている。右吐水管１２２は、洗浄水を吐出する第１ノズル１５６と、泡を吐出する第２ノズル１５８を有する。第１ノズル１５６は隔壁１５４を貫通する。このため、右吐水管１２２の洗浄水の一部は後吐水口１０４から吐出され、残りは第１ノズル１５６および右導水経路１２３を介して前吐水口１１０から吐出される。一方、泡は第１ノズル１５６とは別の第２ノズル１５８から吐出される。第２ノズル１５８は、隔壁１５４を貫通しないため、泡は右吐水管１２２の出口付近に溜まり、後吐水口１０４から吐出される。隔壁１５４によって右導水経路１２３が遮蔽されるため、第２ノズル１５８の泡が右導水経路１２３に入り込むことはない。
なお、第１実施形態と同様、第２ノズル１５８は右吐水管１２２の外管１６４に泡出口１６０として形成されてもよい。
【００４６】
以上、実施形態に基づいて、水洗式便器１００の導水路の構造を中心として説明した。
右吐水管１２２（共通吐水管）の排水口１４４（出口）付近に貯留部１２８を設けるとともに、後吐水口１０４（第１の吐水口）へ至る後導水口１４０（第１の導水口）よりも、前吐水口１１０（第２の吐水口）へ至る前導水口１３８（第２の導水口）を高位置に形成することで、後吐水口１０４からの吐水を優先できる。また、右吐水管１２２（共通吐水管）の排水口１４４（出口）付近に隔壁１５４を設けることで、第１ノズル１５６の洗浄水だけが右導水経路１２３に入り込むように水流制御が可能となる。
【００４７】
貯留部１２８と前吐水口１１０をつなぐ右導水経路１２３においては、その中間地点よりも前吐水口１１０に近い側がピーク点となるように２つの傾斜路が形成される。右導水経路１２３を山型形状とすることにより、前傾斜路１３２、後傾斜路１３４の斜角を大きくできる。この結果、右導水経路１２３から残水を効果的に排出できる。特に、前吐水口１１０から速やかに残水排除できる。
【００４８】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４９】
なお、本実施形態においては、洗浄プロセスと覆水プロセスの２段階の吐水が行われるとして説明したが、両プロセスが明確に分離されることは必須ではない。
【００５０】
以上の記載から、下記の発明が認識される。
本発明のある態様における水洗式便器は、便器本体（便器本体１０１）と、第１および第２の吐水口（後吐水口１０４、前吐水口１１０）と、を備える。
第１および第２の吐水口を連通する導水路（右導水経路１２３）は、第１の吐水口と第２の吐水口の間にピーク点を有する２方向の傾斜路を含む。
導水路を１方向の単一傾斜路とするのではなく、導水路の途中にピーク点を設けて第１および第２の導水口それぞれの方向に傾斜する２方向の傾斜路とすることにより、傾斜路を急峻化しやすくなる。この結果、導水路の残水を排除しやすくなる。導水路は全てが傾斜する必要はなく、一部に水平部分を有してもよい。
【００５１】
便器本体に搭載され、前記第１および第２の吐水口にそれぞれ洗浄水を供給する共通給水管を備えてもよい。
共通給水管は、「筒状」の導水路に限らず、経路、たとえば、便鉢本体に形成される導水路として構成されてもよい。
【００５２】
便器本体の後方側に第１の吐水口が形成され、前方側に第２の吐水口が形成されてもよい。
後方とは、便鉢を平面視したときの後端側半部内に存在することを意味し、前方とは、前端側半部内に存在することを意味する。また、第１および第２の吐水口には後端側から給水されてもよい。この場合には、上流に近い第１の吐水口の方に第２の吐水口よりも強い水勢を与えやすくなる。
【００５３】
ピーク点は、導水路の中間地点よりも第２の吐水口側に形成されてもよい。
ピーク点を第２の吐水口側に形成することにより、ピーク点から第２の吐水口に向かう下降傾斜路をより急峻化しやすくなる。
【００５４】
ピーク点から第１の吐水口へ向かう傾斜路の斜角よりも、ピーク点から第２の吐水口へ向かう傾斜路の斜角が大きくなるように導水路が形成されてもよい。
【００５５】
ピーク点から第１の吐水口へ向かう傾斜路の斜角は、１度以上であることが好ましい。
【００５６】
第１および第２の吐水口に洗浄水を供給する第１の導水路とは別に、更に、第３の吐水口に洗浄水を供給する第２の導水路が形成されてもよい。共通給水管の出口からは、第１の導水路と第２の導水路に分岐し、第１の導水路に第１および第２の吐水口が形成され、第２の導水路には、更に、第３の吐水口が形成されてもよい。
【００５７】
第１の吐水口よりも第２の吐水口は高い位置に形成されてもよい。
第２の吐水口を高い位置に形成することで便鉢部内壁面をより広く使うことができる。
【符号の説明】
【００５８】
５４  ポンプ、  ５７  泡管、  １００  水洗式便器、  １０１  便器本体、  １０２  左吐水口、  １０４  後吐水口、  １０６  便鉢部、  １０８  導水棚、  １１０  前吐水口、  １１２  補給管、  １１４  受水部、  １１５  主タンク、  １１６  第１タンク、  １１７  泡バルブ、  １１８  主給水管、  １１９  左導水経路、  １２０  左吐水管、  １２１  洗浄バルブ、  １２２  右吐水管、  １２３  右導水経路、  １２４  貯留領域、  １２６  第２タンク、  １２８  貯留部、  １３０  泡吐出口、  １３２  前傾斜路、  １３４  後傾斜路、  １３６  貯水壁、  １３８  前導水口、  １４０  後導水口、  １４２  導水壁、  １４４  排水口、  １４６  共通給水管、  １４８  導水路、  １５０  屈曲部、１５２  くぼみ、１５４  隔壁、１５６  第１ノズル、１５８  第２ノズル。
【図１】
0006629029.tif 000002
【図２】
0006629029.tif 000003
【図３】
0006629029.tif 000004
【図４】
0006629029.tif 000005
【図５】
0006629029.tif 000006
【図６】
0006629029.tif 000007
【図７】
0006629029.tif 000008
【図８】
0006629029.tif 000009
【図９】
0006629029.tif 000010
【図１０】
0006629029.tif 000011